(57)【要約】【課題】  接続している通信回線の全二重モード／半二重モードを自動的に判別して相手と通信を行うデータ端末装置を提供する。【解決手段】  通信制御部１５０は、通信制御装置２００に接続している通信回線のうち、ＣＤ信号線の電圧レベルが閾値以上であるか否かを判別する。ＣＤ信号線の電圧レベルが閾値以上であると判別すれば、全二重モードであると仮に判別し、ＣＤ信号線の電圧レベルが閾値未満であると判別すれば、半二重モードであると判別する。通信制御部１５０は全二重モードであると仮に判別した場合、継続してＣＤ信号線の電圧レベルが閾値以上であるか否かを判別する。ＣＤ信号線の電圧レベルが閾値以上であると判別すれば、全二重モードであると判別し、ＣＤ信号線の電圧レベルが閾値未満であると判別すれば、半二重モードであると判別する。【選択図】  図３
2006352397.tif 000002
【特許請求の範囲】
【請求項１】
通信ネットワークに接続された通信装置と、該通信装置及び通信回線を介して接続された相手先通信端末装置に対して全二重モード及び半二重モードで通信可能な通信端末装置とを備える通信システムであって、
前記通信装置を介して相手先通信端末装置との間のコネクションを確立するコネクション確立手段と、
コネクションの確立後に、前記通信装置が前記通信回線上に、前記相手先通信端末装置のデータ送信が可能な状態を示す検出信号を出力しているか否かを判別する判別手段と、
前記判別手段が、前記検出信号が出力されていないと判別した場合に、コネクションが半二重モードであると判別し、前記検出信号が出力されていると判別した場合には、全二重モードであると判別すると共に継続して前記検出信号の出力の有無を判別し、前記検出信号が途切れた段階で半二重モードであると判別し直す通信モード判別手段と、
前記通信モード判別手段での最新の判別に従った通信モードで、データ通信を行うデータ通信手段と、
を具備することを特徴とする通信システム。
【請求項２】
自装置側通信装置と、該自装置側通信装置に通信ネットワークを介して接続された相手側通信装置と、を介して相手先の通信端末装置と全二重モードおよび半二重モードの通信モードで通信可能な通信端末装置であって、
前記自装置側通信装置と前記相手側通信装置とを介して前記相手先の通信端末装置との間のコネクションを確立するコネクション確立手段と、
前記コネクション確立手段でコネクションが確立した後に、前記自装置側通信装置から自己に、前記相手先通信端末装置のデータ送信が可能な状態を示す検出信号が出力されているか否かを判別する判別手段と、
前記判別手段が、前記検出信号が出力されていると判別した場合に、確立したコネクションが全二重モードであると判別し、前記検出信号が出力されていないと判別した場合に、確立したコネクションが半二重モードであると判別する通信モード判別手段と、
前記通信モード判別手段が仮に判別した通信モードでデータの受信又は送信を行った後、再び前記通信モード判別手段にて通信モードの判別を行い、当該判別した通信モードでデータの受信又は送信を行い、再び前記通信モード判別手段にて通信モードの判定を行い、データの受信及びデータの送信が成功した後にその判別した通信モードで以降の通信を行うデータ通信手段と、
を具備することを特徴とする通信端末装置。
【請求項３】
全二重モード及び半二重モードの通信モードで動作する通信回線に接続されている情報処理装置を、
前記通信回線を介して接続されている通信装置と、該通信装置に接続されている通信ネットワークと、を介して接続される相手先通信端末装置との間の通信コネクションを確立し、
前記通信回線上に、前記相手先通信端末装置のデータ送信が可能な状態を示す検出信号が出力されているか否かを判別し、前記検出信号が出力されていないと判別した場合、コネクションが半二重モードであると判別し、
前記検出信号が出力されていると判別した場合には、継続して前記検出信号の有無を判別し、前記検出信号が継続して検出されている間は、コネクションが全二重モードであると判別し、前記検出信号が途切れた段階で半二重モードであると判別し直し、
最新の前記判別に従った通信モードで、前記相手先通信端末装置とデータ通信を行い、データの受信及びデータの送信が成功したときの通信モードで以降の通信を行う、
通信端末装置として動作させることを特徴とするプログラム。
【発明の詳細な説明】
【技術分野】
【０００１】
この発明は、通信ネットワークを介して全二重通信および半二重通信での通信を行う通信システム、通信端末装置およびプログラムに関する。
【背景技術】
【０００２】
企業などでは、ＩＳＤＮ（Integrated Services Digital Network）回線を利用して外部の通信ネットワークと接続する形態がとられている。この接続形態において、通信端末装置に相当するコンピュータをＩＳＤＮ回線に接続するため、このコンピュータとＩＳＤＮ回線との間にターミナルアダプタ等のデータ通信装置が接続される。
【０００３】
例えば、特許文献１には、全二重通信のモードと半二重通信のモードとで通信可能なモデム装置（データ通信装置）が開示されている。このモデム装置は、通信端末装置に全二重通信あるいは半二重通信であることを示す動作モード情報をＲＳ―２３２Ｃケーブル上の送信可信号を操作して送信する。全二重モードでは送信可信号を常にオンの状態に保持し、半二重モードでは通信端末装置から送信される送信要求信号に従って、送信可信号のオン・オフ状態を操作する。
【特許文献１】特開平７−７４９６号公報
【発明の開示】
【発明が解決しようとする課題】
【０００４】
通信端末装置がこのようなデータ通信装置ばかりを介してＩＳＤＮ回線に接続しているとは限らない。このため、通信端末装置側では、直接の通信相手となるデータ通信装置が全二重モード・半二重モードのいずれで動作しているかをあらかじめ把握しておいて、そのモードに設定しておく必要があった。しかし、通信モードを誤って把握したり、通信モードが不明であったりした場合には、接続に失敗し通信モードの設定をやり直す作業が生じ不便である。
【０００５】
本発明は上記問題点に鑑みてなされたもので、接続されている通信回線の全二重モードと半二重モードとを判別し、判別した通信モードに変更して相手先の通信端末装置とデータを送受信する通信システム、通信端末装置およびプログラムを提供することを目的とする。
【課題を解決するための手段】
【０００６】
本発明の第１の観点にかかる通信システムは、
通信ネットワークに接続された通信装置と、該通信装置及び通信回線を介して接続された相手先の通信端末装置に対して全二重モード及び半二重モードで通信可能な通信端末装置とを備える通信システムであって、
前記通信装置を介して相手先通信端末装置との間のコネクションを確立するコネクション確立手段と、
コネクションの確立後に、前記通信装置が前記通信回線上に、前記相手先通信端末装置のデータ送信が可能な状態を示す検出信号を出力しているか否かを判別する判別手段と、
前記判別手段が、前記検出信号が出力されていないと判別した場合に、コネクションが半二重モードであると判別し、前記検出信号が出力されていると判別した場合には、全二重モードであると判別すると共に継続して前記検出信号の出力の有無を判別し、前記検出信号が途切れた段階で半二重モードであると判別し直す通信モード判別手段と、
前記通信モード判別手段での最新の判別に従った通信モードで、データ通信を行うデータ通信手段と、
を具備することを特徴とする。
【０００７】
この発明によれば、通信端末装置は、コネクション確立手段で確立したコネクションの通信モード（全二重モードあるいは半二重モード）を、通信回線を介して通信端末装置に接続されている通信装置から、相手先の通信端末装置から通信端末装置へデータの送信が可能な状態を示す検出信号が出力されているか否かにより判別する。より詳細には、まず判別手段により通信装置が検出信号を出力しているか否かを判別し、検出信号が出力されていると判別した場合には継続して検出信号の有無を判別して、通信モードを確定するという二段構えである。そして、データ通信手段は、通信モード判別手段での最新の判別に従った通信モードでデータ通信を行う。このため、通信装置から出力される検出信号の有無の継続状況に従って、通信端末装置が通信モードを判別してデータを送受信できる。例えば、コネクションの確立後、全二重モードであれば、直ちにデータを相手先の通信端末装置に送信することができる。また、通信モードが実は半二重モードであり、先に全二重モードと判別したとしても、半二重モードであると判別し直した段階で、半二重モードに切り替えてデータを送受信することができる。また、半二重モードと判別した場合には、半二重モードでデータを送受信する。
【０００８】
本発明の第２の観点にかかる通信端末装置は、
自装置側通信装置と、該自装置側通信装置に通信ネットワークを介して接続された相手側通信装置と、を介して相手先の通信端末装置と全二重モードおよび半二重モードの通信モードで通信可能な通信端末装置であって、
前記自装置側通信装置と前記相手側通信装置とを介して前記相手先の通信端末装置との間のコネクションを確立するコネクション確立手段と、
前記コネクション確立手段でコネクションが確立した後に、前記自装置側通信装置から自己に、前記相手先通信端末装置のデータ送信が可能な状態を示す検出信号が出力されているか否かを判別する判別手段と、
前記判別手段が、前記検出信号が出力されていると判別した場合に、確立したコネクションが全二重モードであると判別し、前記検出信号が出力されていないと判別した場合に、確立したコネクションが半二重モードであると判別する通信モード判別手段と、
前記通信モード判別手段が仮に判別した通信モードでデータの受信又は送信を行った後、再び前記通信モード判別手段にて通信モードの判別を行い、当該判別した通信モードでデータの受信又は送信を行い、再び前記通信モード判別手段にて通信モードの判定を行い、データの受信及びデータの送信が成功した後にその判別した通信モードで以降の通信を行うデータ通信手段と、
を具備する。
【０００９】
本発明の第３の観点にかかるプログラムは、
全二重モード及び半二重モードの通信モードで動作する通信回線に接続されている情報処理装置を、
前記通信回線を介して接続されている通信装置と、該通信装置に接続されている通信ネットワークと、を介して接続される相手先通信端末装置との間の通信コネクションを確立し、
前記通信回線上に、前記相手先通信端末装置のデータ送信が可能な状態を示す検出信号が出力されているか否かを判別し、前記検出信号が出力されていないと判別した場合、コネクションが半二重モードであると判別し、
前記検出信号が出力されていると判別した場合には、継続して前記検出信号の有無を判別し、前記検出信号が継続して検出されている間は、コネクションが全二重モードであると判別し、前記検出信号が途切れた段階で半二重モードであると判別し直し、
最新の前記判別に従った通信モードで、前記相手先通信端末装置とデータ通信を行い、データの受信及びデータの送信が成功したときの通信モードで以降の通信を行う、
通信端末装置として動作させる。
【発明の効果】
【００１０】
本発明によれば、通信端末装置は、接続している通信回線の通信モードが全二重モードであるか半二重モードであるかを問わず、通信モードを判別し直ちに相手先の通信端末装置との間でデータを送受信できる。
【発明を実施するための最良の形態】
【００１１】
本発明にかかる実施形態を、以下図面を参照して説明する。
図１は、本発明の実施形態にかかるデータ通信システムの構成を示すブロック図である。
【００１２】
図示するように、本発明の実施形態にかかるデータ通信システム１は、通信回線Ｃを介して接続されている情報処理装置１００と通信制御装置２００とから構成される。
情報処理装置１００と通信制御装置２００とは通信回線Ｃを介して同期通信を行う。通信制御装置２００は、外部の通信ネットワークＮ、例えば上述のＩＳＤＮ回線を介して通信相手側の通信制御装置３００に接続され、その通信制御装置３００が通信相手の端末４００に接続されている。
【００１３】
通信回線Ｃは、同軸ケーブルや「より対線」などのストレートケーブルから構成される。
【００１４】
図２は情報処理装置１００と通信制御装置２００とを接続する通信回線Ｃの結線図の抜粋である。この結線図は、本発明と直接関係のない信号線を省略しているが、ＲＳ−２３２Ｃ規格に準拠している。
【００１５】
図示するように、本実施形態では、情報処理装置１００側の各信号線と通信制御装置２００側の各信号線とで同一の信号線が接続されている。各信号線において、信号の送出方向は矢印の向きで示されている。
情報処理装置１００から通信制御装置２００への送信データの送信には、データ送信（ＳｘＤ）信号線を使用する。通信制御装置２００から情報処理装置１００への受信データの送信には、データ送信（ＲｘＤ）信号線を使用する。送信データは、通信制御装置２００、ネットワークＮ及び通信制御装置３００を介して端末４００に与えるデータであり、受信データは、端末４００から通信制御装置３００、ネットワークＮ及び通信制御装置２００を介して情報処理装置１００に与えられるデータである。
【００１６】
送信要求（Request To Send、ＲＴＳ）信号は、情報処理装置１００からのデータ送信要求を示す信号であり、全二重モードの場合には常時オンとされ、半二重モードの場合にはデータ送信時にオンとされる。ＲＴＳ信号は、言い換えれば、情報処理装置１００からのデータ送信が可能な状態を示す。ＲＴＳ信号は、情報処理装置１００から通信制御装置２００及びネットワークＮを介して通信制御装置３００へ与える信号であり、情報処理装置１００から通信制御装置２００へのＲＴＳ信号の送信には、送信要求信号線が用いられる。通信相手の端末４００も同様にして通信制御装置３００を介して通信制御装置２００にＲＴＳ信号を発生する。
【００１７】
ＣＤ信号線は、通信回線Ｃを介して通信制御装置２００から情報処理装置１００へ、データを送信するための搬送波が出力されているか否かを示す信号を通す信号線である。通信相手の端末４００から通信制御装置３００及びネットワークＮを介して通信制御装置２００にＲＴＳ信号が与えられたときには、通信制御装置２００は、ＣＤ信号線の電圧レベルを閾値以上（オン状態）にする。データの送信終了後、ＣＤ信号線の電圧レベルをオン状態からオフ状態に変更する。全二重モードの場合、通信制御装置２００は常にデータを情報処理装置１００へ送信できるため、ＣＤ信号線の電圧レベルをオン状態に保っている。
【００１８】
情報処理装置１００は、パーソナルコンピュータなどであって、通信回線Ｃと外部ネットワークとを介してどこかの情報処理装置とデータ通信を行う。このような情報処理装置１００のブロック図を図３に示す。
【００１９】
図示するように、情報処理装置１００は、制御部１１０と、記憶部１２０と、入力制御部１３０と、出力制御部１４０と、通信制御部１５０とを備える。これらの各部はバスを介して接続されている。
【００２０】
制御部１１０は、例えば、ＣＰＵ（Central Processing Unit：中央演算処理装置）、ＲＡＭ（Random Access Memory）、等を備え、記憶部１２０に予め格納されている動作プログラムに基づいて、情報処理装置１００の各部を制御する。
【００２１】
記憶部１２０は、ハードディスク装置などの記憶装置から構成され、制御部１１０の動作プログラムを格納する。
【００２２】
入力制御部１３０は、例えば、キーボードやポインティングデバイス等の入力装置１３を接続し、入力装置１３から入力された制御部１１０への指示などを受け付けて制御部１１０に伝達する。
【００２３】
出力制御部１４０は、例えば、ディスプレイやスピーカ等の出力装置１４を接続し、制御部１１０の処理結果などを必要に応じて出力装置１４に出力する。
【００２４】
通信制御部１５０は、例えば、シリアルインターフェイスなどを備え、通信回線Ｃを介して通信制御装置２００との通信を制御する。
【００２５】
通信制御部１５０は、ＣＤ信号線の電圧レベルをセンスし、ＣＤ信号線の電圧レベルが閾値以上であれば、通信相手の端末４００からＲＴＳ信号が送信されていると判別する。ＣＤ信号線の電圧レベルが閾値未満であれば、通信相手の端末４００からＲＴＳ信号が送信されていないと判別する。
【００２６】
通信制御部１５０は、ＣＤ信号線の電圧レベルを１回以上判別し、通信回線Ｃの通信モードが全二重モードか半二重モードかを判別する。通信制御部１５０は判別した通信モードでデータ送信線（図２参照）を通じて通信制御装置２００へデータを送信する。また、信制御部１５０は全二重モード、半二重モードに関わりなく通信制御装置２００からデータ受信線（図２参照）を通じて送信されてきたデータを受信する。
【００２７】
通信制御部１５０は、データ送信（ＳｘＤ）信号線を介してデータを通信制御装置２００へ送信する際、ＲＴＳ信号をオンの状態にする。データの送信が終了すると、先に判別した通信モードに応じてＲＴＳ信号の状態を切り替える。すなわち、全二重モードの場合、常時ＲＴＳ信号の電圧を所定の閾値以上にする。即ち、ＲＴＳ信号をオンの状態に保持する。また、半二重モードの場合、データ送信が終わるとＲＴＳ信号の電圧を所定の閾値未満にする。即ち、ＲＴＳ信号をオフの状態にする。通信相手の端末４００において、同様にしてＲＴＳ信号をオン、オフの状態にする。
【００２８】
図１に戻って、通信制御装置２００は、モデムやターミナルアダプタであって、通信専用の装置である。
通信制御装置２００は、ネットワークＮを介して与えられるＲＴＳ信号がオンの場合に、ＣＤ信号をオンにして情報処理装置１００に与え、ネットワークＮを介して与えられた受信データがあればそれを情報処理装置１００に送信する。これにより、情報処理装置１００がデータを受信することができる。
ネットワークＮを介して与えられるＲＴＳ信号がオフの場合、通信制御装置２００は、ＣＤ信号をオフにして情報処理装置１００に与える。このＣＤ信号がオフのときには、情報処理装置１００は、受信データが与えられても、その受信データを受信することができない。
【００２９】
一方、情報処理装置１００がＲＴＳ信号をオンにした場合には、通信制御装置２００は、送信許諾（ＣＴＳ）信号を所定の閾値以上のオンとし、送信許諾信号線を介して情報処理装置１００に与え、送信可能であることを示す。情報処理装置１００は、ＣＴＳ信号がオンになっていることを確認したときに、送信データを送信データ線から通信制御装置２００へ送信する。通信制御装置２００は、情報処理装置１００から与えられるＲＴＳ信号がオンで、且つ、送信許諾信号がオンの場合に、ネットワークＮを介して送信データを通信制御装置３００へ送信する。ＲＴＳ信号がオフのときには、通信制御装置２００は、送信データをネットワークＮ側へ送信しない。
【００３０】
以下、図４、５に示すフローチャートを用いて、データ通信の処理を説明する。
図４は、データ通信の処理全体を示すフローチャートである。
図５は、図４中の送信処理を示すフローチャートである。
【００３１】
図４のステップＳ１０１において、情報処理装置１００の発信又は通信相手の端末４００からの着信に基づいて、通信制御装置２００及び通信制御装置３００の間が、ネットワークＮを介して接続される。
【００３２】
通信制御装置３００に接続された通信相手の端末４００が、全二重通信を行う装置の場合、端末４００はＲＴＳ信号を常にオンとし、オンの状態のＲＴＳ信号が通信制御装置３００及びネットワークＮを介して通信制御装置２００に与えられる。通信相手の端末４００が、半二重通信を行う装置の場合、端末４００は送信データを送信するときにＲＴＳ信号をオンとし、受信データを受信するときにはＲＴＳ信号をオフにする。この半二重通信を行う場合のＲＴＳ信号も、通信制御装置２００に与えられる。通信制御装置２００は、ＲＴＳ信号のオン・オフ状態をＣＤ信号に反映する。
【００３３】
通信制御部１５０は、ＣＤ信号線の電圧レベルがオフ状態になっているか否かを判別する（ステップＳ１０２）。すなわち、ＣＤ信号線の電圧が閾値電圧未満になっていて、搬送波が出力されていないか否かを判別する。
【００３４】
ＣＤ信号線の電圧レベルがオフであると判別した場合（ステップＳ１０２：ＹＥＳ）、通信制御部１５０は、通信モードが半二重モードであると仮定する（ステップＳ１０３）。ＣＤ信号線の電圧レベルがオンであると判別した場合（ステップＳ１０２：ＮＯ）、通信制御部１５０は、通信モードが全二重モードであると仮定する（ステップＳ１０４）。
【００３５】
ここで、最初の受信データがある場合には（ステップＳ１０５：ＹＥＳ）、仮定したモードで、通信制御部１５０は通信制御装置２００が送信した受信データを受信する（ステップＳ１０６）。
又、受信データがない場合（ステップＳ１０５：ＮＯ）或いはステップＳ１０６での受信処理が終了したときに、最初の送信データがある場合（ステップ１０７：ＹＥＳ）、ステップＳ１０８の送信処理を行う。送信データがない場合（ステップＳ１０７：ＮＯ）、通信制御部１５０は、処理を再びステップＳ１０２に戻して、通信制御装置２００から与えられるＣＤ信号を監視する。
【００３６】
ステップＳ１０８の送信処理では、送信データがあるか否かを判定し（図５のステップＳ１０８−１）、送信データがある場合には（ステップＳ１０８−１；ＹＥＳ）、仮定されているモードでデータの送信を行う（ステップＳ１０８−２）。即ち、通信制御部１５０は、送信データを通信制御装置２００に与え、ネットワークＮ及び通信制御装置３００を介して通信相手の端末４００に送信する。
【００３７】
通信制御部１５０は、送信データを端末４００に送信した後、再び、ＣＤ信号の電圧レベルを検出し、ＣＤ信号がオフか否かを判定する（ステップＳ１０８−３）。ＣＤ信号がオフの場合（ステップＳ１０８−３：ＹＥＳ）、半二重モードと判定する（ステップＳ１０８−４）。ＣＤ信号がオンの場合（ステップＳ１０８−３：ＮＯ）、全二重モードであると判断する（ステップＳ１０８−５）。
このように、モードの判断を再度行うことにより、コネクション確立直後に、ＣＤ信号のオン状態を検出できなかった場合でも、それを修正することができ、仮判定の結果を正すことになる。
【００３８】
ステップＳ１０８−１で送信データがないと判断した場合（ステップＳ１０８−１：ＮＯ）及びステップ１０８−４，Ｓ１０８−５の判定が終了したときに、通信制御部１５０は、受信データが受信済か否かを判断する。
受信データの受信がすでに完了している場合には（ステップＳ１０８−６：ＹＥＳ）、モードの設定が正しかったと判断し、以降の送受信をその設定されたモードで行う（ステップＳ１０９）。
【００３９】
受信データの受信がその時点で完了していない場合には（ステップＳ１０８−７：ＮＯ）、送信データの応答として、通信相手の端末４００から送信された受信データがあるか否かを所定期間内で確認する。この受信データがないときには（ステップＳ１０８−７：ＮＯ）、通信制御部１５０は、処理をステップＳ１０８−１に戻し、送信データの送信を再度行う。受信データがあると確認したとき（ステップＳ１０８−７：ＹＥＳ）、モードの設定が正しかったと判断し、以降の送受信をその設定されたモードで行う（ステップＳ１０９）。
【００４０】
正しく設定されたモードでのデータの送受信は、コネクションが切断されるまで（ステップＳ１１０：ＮＯ）、継続される。コネクションが切断された場合には（ステップＳ１１０：ＹＥＳ）、次にコネクションが確立するまで、端末４００との間のデータの送受信は行わない。
【００４１】
以上説明したように、この発明によれば、通信相手の端末４００のＲＴＳ信号の送出状況を示しているＣＤ信号の電圧レベルのオン・オフ状態に応じて、通信回線Ｃの動作モードが全二重モードあるいは半二重モードであるかを情報処理装置１００が判別してデータ送信のモードを切り替えることができる。また、全二重モードと半二重モードとを仮に判別した状態でデータ送信を開始することができる。この場合、例えば全二重モードと判別した通信モードが後に実は半二重モードであることが判明した場合、通信モードを半二重モードに切り替えてデータを送信する。そして、データの受信及び送信が正常に完了したときの通信モードを正しい通信モードとして以降の通信に使用する。コネクション確立直後では、伝送遅延によりＣＤ信号が確立せずに通信モードを判別できないこともあるが、本発明によれば、仮に判別した通信モードで直ちに通信を開始でき、仮の通信モードに誤りがある場合でも、これを是正することができる。
【００４２】
なお、本発明は上記実施形態に限定されず、種々の変形および応用が可能である。
【００４３】
例えば、上記の実施形態では、ＲＳ−２３２Ｃ規格の通信方式の場合を一例として説明したが、信号線のオン・オフの状態により通信相手に通信モードを示すことのできる他の通信方式にも、適用可能である。
また、上記実施形態の信号線のオン・オフの状態をどのように割り当てるかについては、通信規格上のパラメータであり、本発明はこれに拘束されるものではない。
【００４４】
また、通信端末装置である情報処理装置１００に別の通信端末装置を直結した場合にも、本発明を適用できる。この場合、通信回線Ｃにはクロスケーブルを使用する。
【００４５】
なお、本発明の実施形態にかかる情報処理装置１００を実現するための情報処理装置は、専用のシステムによらず、通常のコンピュータシステムを用いて実現可能である。例えば、汎用コンピュータに、上述の処理を実行するためのプログラムを格納した媒体（ＣＤ−ＲＯＭなど）から当該プログラムを記憶部１２０にインストールすることにより、上述の処理を実行する情報処理装置１００を構成できる。
【００４６】
また、上述の機能を、ＯＳ（Operating System）とアプリケーションとの分担、またはＯＳとアプリケーションとの協動により実現する場合などには、ＯＳ以外の部分のみを媒体に格納してもよい。
【００４７】
また、搬送波にプログラムを重畳し、通信ネットワークを介して配信することも可能である。例えば、通信ネットワーク上の掲示板（ＢＢＳ、Bulletin Board System）に該プログラムを掲示し、ネットワークを介して該プログラムを配信してもよい。そして、このプログラムを起動し、オペレーティングシステムの制御下で、他のアプリケーションプログラムと同様に実行することにより、上述の処理を実行できるように構成しても構わない。
【図面の簡単な説明】
【００４８】
【図１】本発明の実施形態にかかるデータ通信システムのブロック図である。
【図２】本発明の実施形態にかかる通信回線の結線状態の例（抜粋）を示す図である。
【図３】図１の情報処理装置のブロック図である。
【図４】本発明の実施形態にかかるデータの通信処理を説明するためのフローチャートである。
【図５】図４中の送信処理を説明するためのフローチャートである。
【符号の説明】
【００４９】
１００  情報処理装置
１１０  制御部
１２０  記憶部
１３０  入力制御部
１３    入力装置
１４０  出力制御部
１４    出力装置
１５０  通信制御部
２００  通信制御装置
３００  通信制御装置
４００  通信相手の端末
Ｎ      ネットワーク
【図１】
2006352397.tif 000003
【図２】
2006352397.tif 000004
【図３】
2006352397.tif 000005
【図４】
2006352397.tif 000006
【図５】
2006352397.tif 000007